(57)【要約】【課題】  特殊再生実行中であることをユーザが確実に認識できるプレーヤを提供する。【解決手段】  記録媒体に記憶された情報を音声及び画像の少なくとも一方により再生することが可能なプレーヤ１であって、早送り、巻戻し等の特殊再生が実行されている間、当該特殊再生が実行中であることをガイド音等を用いて示唆する状態示唆手段１０、１７，１８を備えている。本プレーヤ１によると、特殊再生が実行中であることをユーザに容易に認識させることができる。前記ガイド音としては、前記特殊再生を想起させる擬似音や案内音声を用いることができる。【選択図】    図１
2005276369.tif 000002
【特許請求の範囲】
【請求項１】
記録媒体に記憶された情報を音声及び画像の少なくとも一方により再生することが可能なプレーヤであって、
特殊再生が実行されている間、当該特殊再生が実行中であることを示唆する状態示唆手段を備えていることを特徴とするプレーヤ。
【請求項２】
前記特殊再生には、早送り、巻戻し、正逆コマ送り、倍速再生及びスロー再生の少なくとも１つが含まれることを特徴とする請求項１に記載のプレーヤ。
【請求項３】
前記状態示唆手段は、前記特殊再生が実行中であることを示唆するガイド音を発するガイド音生成部を含むことを特徴とする請求項１に記載のプレーヤ。
【請求項４】
前記ガイド音には、前記特殊再生を想起させる擬似音或いは特殊再生が実行中であることを発音する案内音声を含むことを特徴とする請求項３に記載のプレーヤ。
【請求項５】
遠隔操作を行うリモコンを更に備え、
前記リモコンに前記状態示唆手段が内蔵されていることを特徴とする請求項１に記載のプレーヤ。
【請求項６】
前記状態示唆手段は、前記特殊再生が実行中であることを示唆する、ガイド音を生成させるガイド音生成部及び所定の振動を生成させる振動生成部のいずれか一方を含むことを特徴とする請求項５に記載のプレーヤ。
【請求項７】
前記記録媒体に記憶された前記所定情報がデジタル情報であることを特徴とする請求項１から６のいずれかに記載のプレーヤ。
【発明の詳細な説明】
【技術分野】
【０００１】
本発明は、ＣＤ、ＤＶＤ、ＨＤＤ等の記憶媒体に記憶された情報を再生するプレーヤに関する。より詳細には、早送りや巻戻し、コマ送り等の特殊再生の動作を行っているときに、実行中であることをユーザが容易に認識できるようにしたプレーヤに関する。
【背景技術】
【０００２】
近年、ＣＤプレーヤ、ＤＶＤプレーヤ、ＨＤＤプレーヤ、ＩＣメモリプレーヤ、ネットワークデコーダ等の情報再生用のプレーヤが広く利用されるようになっている。これらのプレーヤではデジタル情報を記憶した記録媒体がセットされ、音声や画像が再生される。このようなデジタル式のプレーヤは、これより従前において広く普及している磁気テープを用いるテープ式プレーヤと比較して、所望する情報へのランダムなアクセスが容易であり、また早送り等の特殊再生時の動作が速いのでユーザの利便性が向上している。
【０００３】
ところで、上記テープ式プレーヤにおいて早送り、巻戻し等の特殊再生を実行した場合にテープ回転の状態を知りたいというユーザの要請があり、これに対応した技術が従来から提案されている。例えば、特許文献１は特殊再生時を制御モードと称しており、制御モードへの遷移中でも適正な速度表示が行える回転速度表示方法を提案している。この方法では、回転速度検出回路を設けることなく、制御モードへの遷移前及び遷移後の状態に対応してテープの回転速度状態を表示する。これにより、例えば停止状態から高速回転への遷移中において回転速度表示が停止状態のままとなる、等の不正確な表示がなされることが防止される。
【０００４】
また、特許文献２は所望の速度で再生が行える磁気記録再生装置について開示している。この装置は、画像信号，音声信号等を記録した磁気テープを所望の速度で再生するもので、磁気テープの再生速度を制御する再生速度制御部と、操作部の操作により前記再生速度制御部を所望の再生速度に設定する速度設定回路と、前記再生速度制御部からの指令により磁気テープ再生速度の表示を制御する表示制御回路と、前記表示制御回路からの指令により再生速度を数字表示する表示部とを備えている。この装置によると、操作部により再生速度を変化させたとき、例えば通常速度の何倍で再生しているかを表示部に表示することでユーザが再生速度を正確に認識することができ、再生速度の誤操作(誤設定)をなくし、記録内容に合った再生速度に設定することができる。
【０００５】
【特許文献１】特開平７−４４９４６号  公報
【特許文献２】特開平８−７４０１号  公報
【発明の開示】
【発明が解決しようとする課題】
【０００６】
上記のようにプレーヤの再生状態を知りたいというユーザの要請があり、これに対応する技術が複数提案されている。そして、これら従来の技術は、表示部に正確な状態表示を行うことに注力したものである。ところで、一般的なユーザがオーディオプレーヤ或いは映像プレーヤを操作している状況を想定すると所望の情報に早くアクセスするため、早送り或いは巻戻しを行うという場合が多い。そして、一般のユーザが早送り等の特殊再生の状態を表示部で継続的に監視するという状況はまれである。よって、プレーヤが特殊再生中であることを視覚以外で確認したいという要求が潜在的にある。その一方で、前記テープ式プレーヤでは早送り等の場合にはモータの動作音（回転音）が通常の再生時とは異なるので、ユーザはこの音の変化により特殊再生中であることを確認できたという実情がある。
【０００７】
ところが、ＤＶＤプレーヤ等のデジタル式のプレーヤでは動作音が極めて静かであり、テープ式プレーヤのように動作音により特殊再生状態を間接的に知ることはできない。もちろん、ＤＶＤプレーヤ等で特殊再生を行っている時には、所定の表示部にその状態が示され、また接続されているテレビ等のディスプレイにその状態がオーバーレイ表示等される。しかし、例えば４倍速で早送りしている場合には画面上隅に「＞＞ＦＦ  ×４」等の表示を行って特殊再生状態が示されるだけである。この点については先に指摘したように、表示部によるものであるため、ユーザは表示部を確認しないと特殊再生中であることを確認できない。この点において、テープ式プレーヤの方がモータの動作音で早送り等の特殊再生状態を確認できるという副次的な効果があり便利であったと言える。
【０００８】
特に、音声のみを再生するオーディオプレーヤをリモコンにより早送り操作を行ったときなどは、本当に早送りが実行されているかをプレーヤまでユーザが近付いて確認するという場合もある。このように最近のプレーヤは動作音が静かであるために却ってユーザに不都合となる場合があった。
【０００９】
そこで、本発明は前述した従来の課題を解決して、特殊再生中であることをユーザが容易に認識できるプレーヤを提供することを目的とする。
【課題を解決するための手段】
【００１０】
上記目的は、記録媒体に記憶された情報を音声及び画像の少なくとも一方により再生することが可能なプレーヤであって、特殊再生が実行されている間、当該特殊再生が実行中であることを示唆する状態示唆手段を備えているプレーヤによって達成できる。本発明によると、特殊再生が実行中であることを状態示唆手段がユーザに示唆するので、ユーザはプレーヤの状態を容易に把握できる。
【００１１】
前記特殊再生には、早送り、巻戻し、正逆コマ送り、倍速再生及びスロー再生の少なくとも１つを含めることができる。前記状態示唆手段は、前記特殊再生が実行中であることを示唆するガイド音を発するガイド音生成部を含むことができる。そして、前記ガイド音には、前記特殊再生を想起させる擬似音或いは特殊再生が実行中であることを発音する案内音声を含めることができる。
【００１２】
また、遠隔操作を行うリモコンを更に備え、前記リモコンに前記状態示唆手段が内蔵されているプレーヤによっても同様に上記目的を達成できる。前記状態示唆手段は、前記特殊再生が実行中であることを示唆する、ガイド音を生成させるガイド音生成部及び所定の振動を生成させる振動生成部のいずれか一方を含めることができる。前記記録媒体に記憶された前記所定情報がデジタル情報である場合にはユーザが特殊再生の状態を確認し難いので特に本発明が有効となる。
【発明の効果】
【００１３】
本発明によると、ユーザが、視覚によることなく、プレーヤの特殊再生状態を容易に確認できる。
【発明を実施するための最良の形態】
【００１４】
以下、本発明の一実施形態に係る映像プレーヤを図面を参照して説明する。ここでは２つの実施例を示す。
【実施例１】
【００１５】
図１は、実施例１に係る映像プレーヤ１の構成を模式的に示したブロック図である。この映像プレーヤ１は、例えばテレビ或いはスピーカを備えたディスプレイ装置等（以下、外部映像装置という）に接続され、所定画面上に画像を表示すると共に付属のスピーカからこれに付随した音声を出力させる。本映像プレーヤ１は、画像及び音声を再生する通常の映像プレーヤと同様の構成を有している。まず、この基本的な構成部分について説明する。なお、ここでは音声が付加された画像を映像と称している。
【００１６】
本映像プレーヤ１は記録装置１２を備えている。この記憶装置１２は上記外部映像装置５０へ供給する画像データ及び音声データを記憶した記録媒体（不図示）を備えている。記憶装置１２としては、例えばＣＤ、ＤＶＤ等のディスク（外部記録媒体）を装着するタイプのものや、ＨＤＤ等（内部記録媒体）を採用することができる。また、最近において急速に普及しているＩＣメモリを記録媒体として使用するものあってもよい。なお、記憶装置１２は記録媒体にデータを書込む記録機能を合わせて備えていてもよい。
【００１７】
本映像プレーヤ１の画像信号出力部１３は、記録装置１２から読み出した画像信号を外部映像装置５０へ出力するためのインターフェース部である。音声信号出力部１４は記録装置１２から読出した音声信号を画像信号と同様に外部映像装置５０へ出力するインターフェース部である。また、操作部１１は映像プレーヤ１の本体側に設けた指示入力装置であり、ユーザによって操作される再生ボタンの他、特殊再生の操作を行う早送りボタン、巻戻しボタン、正・逆のコマ送り、倍速再生、スロー再生ボタン等を含んでいる。信号入力部１５は、遠隔操作を行うためのリモコン用のインターフェース部である。リモコン側から例えば赤外線により指示信号の送信が行われる。信号入力部１５がその信号を受光することでリモコン操作による再生等の遠隔操作が可能となっている。また、表示部１６は再生、早送り、巻戻し等の状態を表示する。これにより、ユーザは映像プレーヤ１の操作状況を目視で確認できる。
【００１８】
制御部１０は例えばＣＰＵ（中央処理装置）を中心に構成したマイクロコンピュータであり、上記操作部１１やリモコン（不図示）からの指示信号に基づいて、記録装置１２を制御して画像信号出力部１３及び音声信号出力部１４を介して外部映像装置５０へ向けて映像信号（画像及び音声信号）を供給する。以上のように本映像プレーヤ１は従来の映像プレーヤと同様の機能を備えている。
【００１９】
そして、本映像プレーヤ１は、早送り、巻戻し、正・逆コマ送り、倍速再生、スロー再生等の特殊再生を実行しているときに、ユーザにこの状態を認知させるための新規な構成を備えている。以下、この点について説明する。先に指摘したように記憶装置１２内でＣＤ、ＤＶＤ等のディスクやＨＤＤは静かに回転駆動されるので、従来のテープ式プレーヤのように動作音からユーザが特殊再生状態を知ることができない。しかし、プレーヤの動作状態を知りたいときに、その都度にユーザが表示部１６で確認するのは面倒である。そこで、本実施例１の映像プレーヤ１は特殊再生を実行中であることをユーザに示唆する状態示唆手段を備えている。
【００２０】
従来のカセットテーププレーヤにおいてはモータ動作音の変化によって、特殊再生状態を確認できたという副次的な効果に着目したもので、本映像プレーヤ１ではガイド音をユーザに向けて発することにより、特殊再生状態にあることを示唆してユーザに認知させる。なお、映像プレーヤが特殊再生状態であることをユーザに示唆する状態示唆手段として、ガイド音を生成する以外に、振動を採用することができる。振動を用いる場合については次の実施例２で説明する。
【００２１】
上記ガイド音を生成させるため、本映像プレーヤ１が備える構成について説明する。本映像プレーヤ１はガイド音生成部として音声記憶部１７と音声出力部１８とを含んでいる。音声記憶部１７は本映像プレーヤ１で使用するガイド音に対応するガイド音データを記憶している。この音声記憶部１７として独立の記憶装置を新たに設定してもよいが、前述した記憶装置１２に装着される記録媒体を利用することで装置構成を簡素化することができる。音声出力部１８は前記ガイド音を出力する内部スピーカである。音声記憶部１７及び音声出力部１８は制御部１０によって駆動が制御されている。なお、上記音声出力部１８に関しても、本映像プレーヤ１が接続される外部映像装置５０のスピーカを活用することで省略できる。この場合には、制御部１０が音声記憶部１７からガイド音データを読出し、これに対応した音声信号を音声信号出力部１４から外部映像装置５０へ供給するように変更すればよい。
【００２２】
音声記憶部１７に記憶するガイド音データとしては、例えば従来のテープ式プレーヤから発されていた特殊再生をユーザに想起させる駆動音に似た擬似音や、操作の切り替をユーザに想起させる機構部が動く音の擬似音等を採用することができる。また、「特殊再生中です」或いは「ただ今、早送り操作中です」等のように操作内容を発音する案内音声、等を採用することができる。さらには、所定周期で電子音（ピッ、ピッ・・・等）を所定周期で発して特殊再生中であることをユーザに示唆するようにしてもよい。なお、この場合には各動作毎に電子音の周期を変更して、早送り、巻戻し、正逆コマ送り等の相違を音の違いでユーザが区別できるように構成しておくのがより望ましい。
【００２３】
ここで本映像プレーヤ１をＤＶＤプレーヤとし、従来のテープ式プレーヤのモータ回転音を模したガイド音を採用した場合の具体例を示すと次のようになる。ガイド音Ａ（例えば４００Ｈｚと６００Ｈｚの２つの高低の周波数）、ガイド音Ａとは違うガイド音Ｂ（３００Ｈｚと５００Ｈｚの２つの高低の周波数）、機構部分が一瞬「ガタッ」と動いた音のようなパルス状のガイド音Ｃをガイド音データとして音声記憶部１７に記憶する。そして、４倍の早送りの時は４００Ｈｚのガイド音Ａを、８倍の早送りの時は６００Ｈｚのガイド音Ａを音声出力部１８から出力する。また、４倍の巻戻しの時は３００Ｈｚのガイド音Ｂを、８倍の巻戻しの時は５００Ｈｚのガイド音Ｂを音声出力部１８から出力する。さらに、コマ送り再生の時は、１コマを表示する毎にパルス状のガイド音Ｃを１回、音声出力部１８から出力する。
【００２４】
以上説明した、本実施例１の映像プレーヤ１によると、音声出力部１８から出力されるガイド音により、ユーザは特殊再生の状態にあることを確実に認識できる。すなわち、本映像プレーヤ１によるとユーザは表示部１６の表示や外部映像装置５０の画面をいちいち目視で確認しなくても動作状態を確認できる。このように、映像プレーヤ１は視覚のみならず聴覚でも動作状態を知ることが出来る。よって、使い勝手が良い映像プレーヤとして提供できる。
【００２５】
なお、本映像プレーヤ１はより好ましい形態として、ネットワーク接続部１９を備えている。このネットワーク接続部１９は、ＬＡＮ等のインターフェース部として機能する。このネットワーク接続部１９を介してインターネット等に接続することで、音声記憶部１７にユーザが使用したい音声データをダウンロードして利用できるように設定してもよい。
【実施例２】
【００２６】
上記実施例１は、ガイド音により映像プレーヤ１が特殊再生実行中であることをユーザに示唆し、認識させるという手法を採用していた。ところで、映像プレーヤが特殊再生状態にあることをユーザに知らせる媒体として振動を利用することができる。但し、映像プレーヤ自体を振動させると精度良く映像データを出力するという本来機能に悪影響を及ぼすことが予想される。そこで、映像プレーヤに付属するリモコンを利用して映像プレーヤが特殊再生状態にあることをユーザに示唆するように構成したのが次の実施例２である。
【００２７】
図２は、実施例２に係る映像プレーヤ２の構成を模式的に示したブロック図である。上記実施例１の映像プレーヤ１と同一の部位には同一の符号を付して重複する説明を省略し、映像プレーヤ２の特徴部分を説明する。本映像プレーヤ２は付属のリモコン３０へ向けて特殊再生時に所定のガイド信号を供給する信号出力部２０を備えている。この信号出力部２０は制御部１０によって制御される。
【００２８】
一方、リモコン３０はプレーヤ操作の指示信号を映像プレーヤ２の信号入力部１５へ供給する信号出力部３１と共に、上記信号出力部２０からのガイド信号を受信する信号入力部３２を備えている。また、リモコン３０はスピーカ３５及び微振動モータ３７を内蔵している。映像プレーヤ２から供給される上記ガイド信号には、実施例１のガイド音データ及び微振動モータ３７の駆動データが含まれている。なお、微振動モータ３７を駆動する駆動データはガイド音データと共に音声記憶部１７に記憶しておいてもよいし、記憶装置１２の記録媒体に記憶しておいてもよい。制御部１０は、早送り等の特殊再生を行うときに音声記憶部１７から音声ガイドデータを読出すと共に上記駆動データを読出して、これに対応するガイド信号を信号出力部２０から送信する。
【００２９】
上記ガイド信号を受けたリモコン３０では、スピーカ３５から実施例１の場合と同様のガイド音が出力される。これと共に微振動モータ３７がリモコン３０を微振動させる。よって、ユーザはガイド音及び振動により映像プレーヤ２が特殊再生中であることを確認できる。本実施例２の場合もユーザは、視覚によらず映像プレーヤ２が特殊再生状態にあることを確実に把握できる。
【００３０】
なお、本実施例２ではリモコン３０側にスピーカ３５及び微振動モータ３７を設ける場合を例示しているが、微振動モータ３７だけを設けるようにしてもよい。また、図２では映像プレーヤ２側にガイド音を出力させる音声出力部１８を設けているが、リモコン３０側にスピーカ３５を設けた場合は省略してもよいし、音声ガイドを行わず微振動のみでユーザに特殊再生状態を示唆するようにしてもよい。微振動のみで特殊再生状態を示唆する場合には、早送り、巻戻し等の動作の相違に応じて振動のリズムを変更するように構成しておくことがより望ましい。
【００３１】
上記の実施例２によると、実施例１の場合と同様に、視覚によらずユーザが映像プレーヤの特殊再生状態を把握できる。特に、本実施例２の映像プレーヤ２は音声及び振動で映像プレーヤが特殊再生状態にあることを示唆するので、ユーザに映像プレーヤの状態を容易かつ確実に認識させることができる。
【００３２】
以上説明した実施例の映像プレーヤは、視覚以外の感覚を利用して特殊再生中であることをユーザに認識させることができる新規な状態示唆手段を備えるので使い勝手の良い映像プレーヤとして提供できる。なお、映像プレーヤを使用するユーザによっては特殊再生状態の確認を要しないという場合もある。この場合にはガイド音等が却って煩わしくなる。よって、例えば操作部１１に切替スイッチを設けてユーザが任意に状態示唆手段を起動できるように設定しておくのがより好ましい。
【００３３】
以上本発明の好ましい一実施形態について詳述したが、本発明は係る特定の実施形態に限定されるものではなく、特許請求の範囲に記載された本発明の要旨の範囲内において、種々の変形・変更が可能である。例えば、上記実施例では一例として映像プレーヤについて説明したが、再生や巻戻しの操作が行えるデジタルビデオやデジタルカメラも本発明のプレーヤに含まれる。また、画像データを含まないオーディオプレーヤについて本発明が同様に適用できることは言うまでもない。
【図面の簡単な説明】
【００３４】
【図１】実施例１に係る映像プレーヤの構成を模式的に示したブロック図である。
【図２】実施例２に係る映像プレーヤの構成を模式的に示したブロック図である。
【符号の説明】
【００３５】
１            映像プレーヤ
１０          制御部
１１          操作部
１２          記憶装置
１６          表示部
１７          音声記憶部
１８          音声出力部
２０          信号出力部
３０          リモコン
５０          外部映像装置
【図１】
2005276369.tif 000003
【図２】
2005276369.tif 000004